【手続補正書】
【提出日】平成22年12月13日(2010.12.13)
【手続補正１】
【補正対象書類名】特許請求の範囲
【補正対象項目名】全文
【補正方法】変更
【補正の内容】
【特許請求の範囲】
【請求項１】
センサ装置であって、
ケーシング（２）の孔（１）内に差し込むための係止可能なセンサと、
センサエレメント（１６）を備えたセンサ体（３）と、
センサ体（３）に配置された、センサをケーシング（２）に係止するためのばね弾性的な係止アーム（４，９）とを有している形式のものにおいて、
差込み位置決め状態を規定するためのコーディングエレメント（５）が係止アーム（４，９）に配置されていて、該係止アーム（４，９）と共にばね弾性変形可能であって、
センサを差し込むための孔（１）を備えたケーシング（２）を有しており、
前記孔（１）にコーディング切欠（２１）が設けられており、
前記コーディングエレメント（５）は、センサをケーシング（２）内に差し込む際に前記コーディング切欠（２１）を通ってスライドせしめられるようになっていることを特徴とする、センサ装置。
【請求項２】
前記センサ体（３）が狭幅側を有していて、係止アーム（４，９）が、センサ体（３）の狭幅側に配置されている、請求項１記載のセンサ装置。
【請求項３】
前記係止アーム（４，９）とセンサ体（３）との間に、係止アーム（４，９）のばね弾性変形を許容するための自由室（６）が設けられている、請求項１又は２記載のセンサ装置。
【請求項４】
前記係止アーム（４，９）が、差込み方向（７）に対して斜め内方に延在する外側縁部（１０）を有している、請求項１から３までのいずれか１項記載のセンサ装置。
【請求項５】
２つの半部（２２，２３）より形成された型内にプラスチックを射出成形することによって製造されている、請求項１から４までのいずれか１項記載のセンサ装置。
【請求項６】
前記型が２つの半部（２２，２３）に分離される離型ライン（８）が、係止アーム（４，９）がばね弾性変形する平面内に延在している、請求項５記載のセンサ装置。
【請求項７】
コーディングエレメント（５）が、前記離型ライン（８）の平面に対して平行に延在している、請求項５又は６記載のセンサ装置。
【請求項８】
コーディングエレメント（５）が、前記離型ライン（８）の平面内に延在している、請求項５又は６記載のセンサ装置。
【請求項９】
コーディングエレメント（５）が、係止アーム（４，９）の外側に配置されている、請求項１から８までのいずれか１項記載のセンサ装置。
【請求項１０】
センサ体（３）の、係止アーム（４，９）とは反対側に第２の係止アーム（９）が設けられている、請求項１から９までのいずれか１項記載のセンサ装置。
【請求項１１】
コーディングエレメント（５）が、差込み方向（７）とは反対方向で見て、センサの外側輪郭部から突き出した突起である、請求項１から１０までのいずれか１項記載のセンサ装置。
【請求項１２】
コーディングエレメント（５）が、その差込み方向で見て前端部に、差込み方向（７）に対して直交する横方向及び係止アーム（４，９）のばね方向（１１）に延在する縁部（１２）を有している、請求項１から１１までのいずれか１項記載のセンサ装置。
【請求項１３】
センサ体（３）に、係止アーム（４，９）のばね行程を制限するためのストッパ（１３）が設けられている、請求項１から１２までのいずれか１項記載のセンサ装置。
【請求項１４】
コーディングエレメント（５）は、内方に押し込まれた係止アーム（４，９）に当接した時でも、差込み方向（７）とは反対方向で見て、センサ体（３）の外側輪郭から突き出すように、構成されている、請求項１から１３までのいずれか１項記載のセンサ装置。
【請求項１５】
係止アーム（４，９）の両端部に、ケーシング（２）の縁部（１５）を受容するための凹部（１４）が設けられている、請求項１から１４までのいずれか１項記載のセンサ装置。
【請求項１６】
係止アーム（４，９）がセンサ体（３）から、差込み方向（７）とは反対方向に延びている、請求項１から１５までのいずれか１項記載のセンサ装置。
【請求項１７】
差込み方向（７）で見て、センサ体（３）の前端部にセンサエレメント（１６）が配置されており、
差込み方向（７）で見て、センサ体（３）の後端部にケーブルのための接触装置（１７）が設けられており、
センサエレメント（１６）が、接触装置（１７）と導電接続されている、
請求項１から１６までのいずれか１項記載のセンサ装置。
【請求項１８】
係止アーム（４，９）と接触装置（１７）との間にフランジ（１８）が配置されている、請求項１から１７までのいずれか１項記載のセンサ装置。
【請求項１９】
前記ケーシング（２）の孔（１）に２つの狭幅側（１９，２０）を備えた孔（１）が設けられており、
前記２つの狭幅側（１９，２０）のうちの一方にコーディング切欠（２１）が設けられており、
前記コーディングエレメント（５）がコーディング切欠（２１）を通ってスライドせしめられ、係止アーム（４，９）がケーシング（２）の縁部（１５）に係止するようになっている、
請求項１から１８までのいずれか１項記載のセンサ装置。
【手続補正２】
【補正対象書類名】明細書
【補正対象項目名】発明の名称
【補正方法】変更
【補正の内容】
【発明の名称】センサ装置
【手続補正３】
【補正対象書類名】明細書
【補正対象項目名】０００１
【補正方法】変更
【補正の内容】
【０００１】
本発明は、係止アームが配置されたセンサ体と、差込み位置決めを規定するためのコーディングエレメントとを備えたセンサとケーシングとから成るセンサ装置に関する。
【手続補正４】
【補正対象書類名】明細書
【補正対象項目名】０００６
【補正方法】変更
【補正の内容】
【０００６】
そこで本発明の課題は、簡単かつ安価に製造される、差込み可能なセンサ装置を提供することである。
【手続補正５】
【補正対象書類名】明細書
【補正対象項目名】０００７
【補正方法】変更
【補正の内容】
【０００７】
この課題を解決した請求項１に記載した差込み可能なセンサ装置によれば、センサ装置であって、ケーシングの孔内に差し込むための係止可能なセンサと、センサエレメントを備えたセンサ体と、センサ体に配置された、センサをケーシングに係止するためのばね弾性的な係止アームとを有している形式のものにおいて、差込み位置決め状態を規定するためのコーディングエレメントが係止アームに配置されていて、該係止アームと共にばね弾性変形可能であって、センサを差し込むための孔を備えたケーシングを有しており、前記孔にコーディング切欠が設けられており、前記コーディングエレメントは、センサをケーシング内に差し込む際に前記コーディング切欠を通ってスライドせしめられるようになっている。センサ装置の有利な実施態様は、従属請求項に記載されている。
【手続補正６】
【補正対象書類名】明細書
【補正対象項目名】００３０
【補正方法】削除
【補正の内容】
【手続補正７】
【補正対象書類名】明細書
【補正対象項目名】００３２
【補正方法】変更
【補正の内容】
【００３２】
【図１】１実施例によるセンサの第１の側面図である。
【図２】図１に示したセンサの第２の側面図である。
【図３】センサを差し込むためのケーシングの平面図である。
【図４】図１に示したセンサを図３に示したケーシング内に差し込んだ状態を差し込み方向とは逆方向で示した図である。
【図５】別の実施例によるセンサを、センサを製造するための射出成形型の２つの半部と共に示した第１の側面図である。
【図６】センサを差し込むための別のケーシングである。
【図７】図５に示したセンサを図６に示したケーシング内に差し込んだ状態を差し込み方向とは逆方向で示した図である。